(57)【要約】【課題】  結び目の耐久性の向上を図りながら、緩み難い釣り竿の釣り糸固定構造を提供する点にある。【解決手段】  穂先竿１の先端に取り付けたリリアン２と、リリアン２にそのリリアン２の軸線方向に沿ってスライド移動自在に外嵌装着した硬質材製の筒状部材３とからなる釣り糸の連結手段を構成し、筒状部材３に釣り糸を取り付けるべく構成してある。【選択図】        図２
2006223183.tif 000002
【特許請求の範囲】
【請求項１】
穂先竿の先端に取り付けた柔軟材製の第１部材と、前記第１部材にその第１部材の軸線方向に沿ってスライド移動自在に備えた硬質材製の第２部材とで、釣り糸の連結手段を構成している釣り竿の釣り糸連結固定構造。
【請求項２】
穂先竿の先端に取り付けた柔軟材製の第１部材と、前記第１部材にその第１部材の軸線方向に沿ってスライド移動自在に外嵌装着した硬質材製の第２部材とからなる釣り糸の連結手段を構成し、前記硬質材製の第２部材に釣り糸を取付けるべく構成してある釣り竿の釣り糸連結固定構造。
【請求項３】
穂先竿の先端に取り付けた柔軟材製の第１部材と、前記第１部材の内部にその第１部材の軸線方向にスライド移動自在に内装した硬質材製の第３部材とからなる釣り糸の連結手段を構成し、前記第３部材が位置している前記第１部材の部位を、前記釣り糸を括り付ける部分に構成してある釣り竿の釣り糸連結固定構造。
【請求項４】
前記硬質材製の第２部材を筒状部材に構成するとともに、前記筒状部材にその筒状部材の外周径を弾性的に変更自在な割り溝を形成してある請求項１又は２記載の釣り竿の釣り糸連結固定構造。
【請求項５】
前記硬質材製の第３部材をパイプ材に構成するとともに、前記パイプ部材にそのパイプ材の外周径を弾性的に変更自在な割り溝を形成してある請求項３記載の釣り竿の釣り糸連結固定構造。
【請求項６】
前記穂先竿に取り付けた中間連結具の外周面に前記第１部材を被覆装着するとともに、前記中間連結具の先端部が球状を呈している請求項１〜５のうちのいずれかひとつに記載の釣り竿の釣り糸連結固定構造。
【請求項７】
前記穂先竿に取り付けた前記第１部材の先端部に二重筒構造を形成するとともに、二重筒部分の先端開口を加熱処理して焼玉部分を形成し前記先端開口を閉塞処理してある請求項１〜６の内のいずれか一つに記載の釣り竿の釣り糸連結固定構造。
【発明の詳細な説明】
【技術分野】
【０００１】
本発明は、穂先竿の先端に釣り糸を括り付ける連結手段を設けている釣り竿の釣り糸連結固定構造に関する。
【背景技術】
【０００２】
連結手段としては、穂先竿に取り付けた柔軟材製の第２部材を設け、この柔軟材製の第２部材を編み込みのリリアン等で構成し、そのリリアン等に直接、釣り糸を括り付けていた（特許文献１参照）。
【０００３】
【特許文献１】特開平９−２４８１０２号公報（段落番号〔０００８〕、図１〜図３）
【発明の開示】
【発明が解決しようとする課題】
【０００４】
上記したように、リリアン等に直接釣り糸を括りつけているので、釣り糸の結び目に応力が集中し、面圧の低い編み込み部分が損傷することがあった。また、リリアンのみに釣り糸を括りつけているだけでは結び目が緩み易い場合があった。
【０００５】
本発明の目的は、結び目の耐久性の向上を図りながら、緩み難い釣り竿の釣り糸固定構造を提供する点にある。
【課題を解決するための手段】
【０００６】
〔構成〕
請求項１に係る発明の特徴構成は、穂先竿の先端に取り付けた柔軟材製の第１部材と、前記第１部材にその第１部材の軸線方向に沿ってスライド移動自在に備えた硬質材製の第２部材とで、釣り糸の連結手段を構成している点にあり、その作用効果は次の通りである。
【０００７】
〔作用〕
釣り糸の連結手段を構成するに、柔軟材製の第１部材だけでなく、硬質材製の第２部材をも併用することにしたので、釣り糸の結び目部位に柔軟材製の第１部材だけでなく、硬質材製の第２部材をも配置できるので、結び力を受ける部位の面圧力を高めることができ、損傷度合いを少なくできる。
しかも、穂先竿に取り付けているのは、柔軟材製の第１部材であるので、第１部材の柔軟製は失われてなく、従来と同様に、魚の引きや竿の姿勢に応じて第１部材における第２部材の位置していない部分が変形して追従でき、第１部材に大きな荷重が掛かることはない。
さらに、硬質材製の第２部材が柔軟材製の第１部材の軸線方向に沿って移動できるように構成してあるので、魚の引きや竿の姿勢に応じて釣り糸の連結部位が第２部材とともに移動することになり、結び目が第１部材の一箇所に限定されることがなく、第１部材に対する応力集中を回避できる。
また、柔軟材製の第１部材に釣り糸を括り付けて、括り付けた部分を硬質材製の第２部材で覆うことにすると、結びが解け難く他物に接触することもない。
【０００８】
〔効果〕
糸連結部位の強度を高めるとともに、第１部材が柔軟に変形する変形性を維持できるとともに、解け難い釣り糸の連結固定構造を提供できるに至った。
【０００９】
請求項２に係る発明の特徴構成は、穂先竿の先端に取り付けた柔軟材製の第１部材と、前記第１部材にその第１部材の軸線方向に沿ってスライド移動自在に外嵌装着した硬質材製の第２部材とからなる釣り糸の連結手段を構成し、前記硬質材製の第２部材に釣り糸を取付けるべく構成してある点にあり、その作用効果は次の通りである。
【００１０】
〔作用効果〕
つまり、硬質材製の第２部材における釣り糸取付部に直接釣り糸を括り付けることができるので、柔軟材製の第１部材に比べて面圧の高い第２部材の硬質材部分を釣り糸の取付部に設定できるので、連結部位の強度を高めて損傷を未然に回避できるとともに、硬質材製の第２部材を外嵌装着している柔軟材製の第１部材のその外嵌部位以外の部分は柔軟性を維持しているので、魚の引きや竿の姿勢に応じて柔軟に変形して追従できる。
しかも、穂先竿に取り付けているのは、柔軟材製の第１部材であるので、第１部材の柔軟製は失われてなく、従来と同様に、魚の引きや竿の姿勢に応じて第１部材における第２部材の位置していない部分が変形して追従でき、第１部材に大きな荷重が掛かることはない。
さらに、硬質材製の第２部材が柔軟材製の第１部材の軸線方向に沿って移動できるように構成してあるので、魚の引きや竿の姿勢に応じて釣り糸の連結部位が第２部材とともに移動することになり、結び目が第１部材の一箇所に限定されることがなく、第１部材に対する応力集中を回避できる
【００１１】
請求項３に係る発明の特徴構成は、穂先竿の先端に取り付けた柔軟材製の第１部材と、前記第１部材の内部にその第１部材の軸線方向にスライド移動自在に内装した硬質材製の第３部材とからなる釣り糸の連結手段を構成し、前記第３部材が位置している前記第１部材の部位を、前記釣り糸を括り付ける部分に構成してある点にあり、その作用効果は次ぎの通りである。
【００１２】
〔作用効果〕
つまり、硬質材製の第３部材を柔軟材製の第１部材の内部に挿入してはいるが、外側に位置する柔軟材製の第１部材に釣り糸を括り付けると、その括り付け部位を内側から硬質材製の第３部材によって受け止めることができるので、柔軟材製の第１部材が受ける結び力の一部を硬質材製の第３部材にも分散させて受止させることができ、柔軟材製の第１部材が受ける負担を軽減して、損傷度合いを軽減できる。
しかも、穂先竿に取り付けているのは、柔軟材製の第１部材であるので、第１部材の柔軟製は失われてなく、従来と同様に、魚の引きや竿の姿勢に応じて第１部材における第３部材の位置していない部分が変形して追従でき、第１部材に大きな荷重が掛かることはない。
さらに、硬質材製の第３部材が柔軟材製の第１部材の軸線方向に沿って移動できるように構成してあるので、釣り糸の括り付け位置を任意に選定できる。
【００１３】
請求項４に係る発明の特徴構成は、前記硬質材製の第２部材を筒状部材に構成するとともに、前記筒状部材の外周面に釣り糸の取付部を構成し、前記筒状部材にその筒状部材の外周径を弾性的に変更自在な割り溝を形成してある点にあり、その作用効果は次ぎの通りである。
【００１４】
〔作用効果〕
つまり、割り溝を形成していることによって、第２部材が硬質材であっても弾性的に縮径可能であるので、釣り糸を括り付けた場合にその硬質材製の第２部材が弾性的に縮径して、釣り糸の結び目の緩みを抑制し、安定した結び目を維持することができる。
【００１５】
請求項５に係る発明の特徴構成は、前記硬質材製の第３部材を筒状部材に構成するとともに、前記筒状部材の外周面を覆う前記第１部材に釣り糸を括り付けるべく構成し、前記筒状部材にその筒状部材の外周径を弾性的に変更自在な割り溝を形成してある点にあり、その作用効果は次ぎの通りである。
【００１６】
〔作用効果〕
つまり、筒状部材の外周面を覆う前記第１部材に釣り糸を括り付けるべく構成してあるものであっても、直接第１部材に釣り糸を括り付け場合と同様に、割り溝を形成していることによって、第３部材が硬質材であっても弾性的に縮径可能であるので、釣り糸を括り付けた場合にその硬質材製の第３部材が弾性的に縮径して、釣り糸の結び目に緩みを抑制し、安定した結び目を維持することができる。
【００１７】
請求項６に係る発明の特徴構成は、請求項１〜５の内のいずれか一つに係る発明において、前記穂先竿に取り付けた中間連結具の外周面に前記第１部材を被覆装着するとともに、前記中間連結具の先端部が球状を呈している点にあり、その作用効果は次の通りである。
【００１８】
〔作用効果〕
柔軟材製の第１部材における中間連結具の先端よりさらに先端側に糸が連結されているので、糸に魚の引き力が作用して柔軟材製の第１部材が撓みを生ずる場合には、柔軟材製の第１部材における中間連結具の先端近くに位置する部分がその中間連結具の先端部に強く押し付けられる状態になる。
このように押し付けられる場合であっても、中間連結具の先端部が球状に形成してあるので、柔軟材製の第１部材の押し付けられている部分に大きな面圧が掛かることが少なく、糸連結部材が傷むことが少ない。
また、球状に形成されているので、糸連結部材がその球状部分に引っ掛って糸連結部材が中間連結具から抜け出ることが少なくなる。
【００１９】
請求項７に係る発明の特徴構成は、請求項１〜６の内のいずれか一つに係る発明において、前記穂先竿に取り付けた前記第１部材の先端部に二重筒構造を形成するとともに、二重筒部分の先端開口を加熱処理して焼玉部分を形成し前記先端開口を閉塞処理してある点にあり、その作用効果は次の通りである。
【００２０】
〔作用効果〕
上記のような構成によって、柔軟材製の第１部材における釣り糸を括り付ける部分を二重筒構造とできるので、括り付ける糸の柔軟材製の第１部材の取付面に及ぼす面圧力を二重筒に分散させることができ、柔軟材製の第１部材の傷みが少ない。
【発明を実施するための最良の形態】
【００２１】
〔第１実施形態〕
鮎竿、渓流竿等の穂先竿１の先端側に設けられて、釣り糸ａが括り付けられる柔軟材製の第１部材２の取付構造について説明する。図１及び図２に示すように、穂先竿１の竿先端に中間連結具１Ａを装着し、中間連結具１Ａにおける穂先竿１より竿先側に突出した部分に、柔軟材製の第１部材２としてのリリアンを外嵌固定してある。
【００２２】
リリアン２は金属繊維や合成樹脂繊維等を編み込んだ本体部２Ａを形成するとともに、先端に加熱処理を行って焼玉部分２Ｂを形成してある。本体部２Ａに硬質材製の第２部材としての筒状部材３を外嵌装着してあり、筒状部材３の軸線方向での長さをリリアン２の軸線方向長さより短く、筒状部材３を本体部２Ａの軸線方向に沿って位置変更するように構成してある。筒状部材３は、軽量の金属パイプで構成し、金属材料としてはチタンやアルミを選定するが、ＰＥＴ等の硬質でエンジニアリング樹脂等を選定してもよい。
【００２３】
釣り糸ａを括り付ける対象としては、筒状部材３を選定し、筒状部材３を中間連結具１Ａの先端より更にリリアン２の先端側に位置変更させて、位置を変更設定した筒状部材３に括り付けることとしている。このように、筒状部材３を中間連結具１Ａから先端側に移動させることによって、リリアン２の柔軟性が生かされて図２（ロ）に示すようにリリアン２が魚の引きによって筒状部材３を装着しない場合と同じように撓みを生ずる。
【００２４】
図２に示すように、筒状部材３には軸線方向に沿った割り溝３ａを形成してあり、これによって、筒状部材３は釣り糸ａを括り付けられた状態で、弾性的に縮径することによって釣り糸ａの結び目に締まり力を与えることになり、緩み止め機能を発揮することになる。
【００２５】
〔第２実施形態〕
第１実施形態と異なる点を主として説明する。図３（イ）（ロ）に示すように、穂先竿１の竿先端に中間連結具１Ａを装着し、中間連結具１Ａにおける穂先竿１より竿先側に突出した部分に、柔軟材製の第１部材２としてのリリアンを外嵌固定してある。
【００２６】
リリアン２の内部空間には硬質材製の第３部材としてのパイプ材４が内装されており、パイプ材４はリリアン２の先端から中間連結具１Ａに先端との間をスライド移動可能な軸線方向に沿った長さを備えている。パイプ材４は、軽量の金属パイプで構成し、金属材料としてはチタンやアルミを選定するが、ＰＥＴ等の硬質でエンジニアリング樹脂等を選定してもよい。
【００２７】
釣り糸ａを括り付ける対象としては、パイプ材４を収納したリリアン２におけるそのパイプ材が位置する部分に選定し、パイプ材４を中間連結具１Ａの先端より更にリリアン２の先端側に位置変更させて、位置を変更設定したパイプ材４の外周に位置するリリアン２に括り付けることとしている。
【００２８】
パイプ材２には図示してはいないが、軸線方向に沿った割り溝３ａを形成してもよい。そうすると、パイプ材２は釣り糸ａを括り付けられた状態で、弾性的に縮径することによって釣り糸ａの結び目に締まり力を与えることになり、緩み止め機能を発揮することになる。
【００２９】
〔第３実施形態〕
この実施形態では、請求項１に対応する実施形態を示すもので、第１実施形態と同様に、硬質材製の第２部材としての筒状部材３を軟質材製の第１部材としてのリリアン２に外嵌する構成を採っている。第１実施形態と異なる点は、図６に示すように、リリアン２に釣り糸ａを括り付ける点である。つまり、筒状部材３を中間連結具１Ａに外嵌させてリリアン２の先端部分を開放するとともに、その開放された部分に釣り糸ａを括り付けて結び目を作り、その後、筒状部材３をリリアン２の先端部側に移動させて釣り糸ａの結び目を覆うことにする。これによって、結び目が露出せず他物との接触衝突も回避でき、結び目が不測に解けることを阻止できる。
このように、単に、穂先竿の先端にリリアン２だけを装着し、そのリリアン２に釣り糸ａを括り付けるだけの場合に比べて、解け難い釣り糸連結固定構造を提供できた。
【００３０】
〔第４実施形態〕
この実施形態では、請求項１に対応する実施形態を示すもので、第２実施形態と構成部材は、リリアン２の内部に硬質材製の第３部材としてのパイプ材４を収納する点で同一であるが、釣り糸ａの括り付け位置をリリアン２の中間位置に設定する点で異なっており、以下説明する。図７に示すように、リリアン２の内部にパイプ材４を収納し、パイプ材４が中間連結具１Ａから一定間隔だけ前方側に離間する状態を維持するように、リリアン２を中間連結具１Ａに外嵌固定する。
【００３１】
以上のような構成において、パイプ材４の後端と中間連結具１Ａの前端との間において釣り糸ａをリリアン２に括りつけることになる。そうすると、括り付けた部分が凹むことになり、小径化する。パイプ材４と中間連結具１Ａとは径を変形させることはないので、前記した括り付けた部分との間に段差が形成される。
【００３２】
このように段差が形成された部分の谷間に釣り糸ａが括られることになるので、結節部がリリアン２の軸線方向に移動することがなく、かつ、結節部位が隠されることになるので、他物との接触衝突もなく、括りが解けることが少ない。ここでは、硬質材製の第３部材としてパイプ材４を使用することを示したが、棒状材であってもよく、また、金属でなくてもよく、軽量硬質の樹脂材であってもよい。
このように、単に、穂先竿の先端にリリアン２だけを装着し、そのリリアン２に釣り糸ａを括り付けるだけの場合に比べて、解け難い釣り糸連結固定構造を提供できた。
【００３３】
〔別の実施形態〕
（１）  中間連結具１Ａの形状について説明する。図４に示すように、中間連結具１Ａの先端に球状の先端部１Ｂを形成する。この球の形状としては、中間連結具１Ａの棒状部分の径が１ｍｍであれば、径が１．４ｍｍの球とする。このような球形状の先端部１Ｂより先端側に釣り糸ａを括り付ける。
このような球形状の先端部１Ｂに形成したので、釣り糸ａが魚の引っ張り力を受けてリリアン２が下向きの撓みを生じた場合に、リリアン２の中間連結具１Ａの先端近傍の部分が球状の先端部１Ｂに押し付けられても、その先端部１Ｂが鋭角に尖った部分を呈していないので、リリアン２の圧接部分に大きな面圧が発生せず、リリアン２自体に傷つきが少ない。しかも、この先端部１Ｂが球状に大径のものに形成されているので、先端部１Ｂより先端側に釣り糸ａの括り付け部分があっても、リリアン２を中間連結具１Ａから抜き出す力に対する抵抗を大きくしている。
以上のような構成は、第１実施形態に適用するものとして記載したが、第２実施形態とともに採用してもよく、更には、第１実施形態及び第２実施形態とは別個の構成、つまり、筒状部材３を備えないもの、又は、パイプ材４を備えないものに適用してもよい。
【００３４】
（２）  リリアン２の本体部２Ａを二重筒構造に形成する点を説明する。
図５（イ）（ロ）に示すように、リリアン２を単一の筒状部材に形成するとともに、竿先側の部分を外側に捲り上げて後方側にその捲り上げた先端部分を移動させて、その先端部分を捲り上げられてない本体部２Ａの外面に接着固定するとともに、先端開口部分を加熱処理して焼玉部分２Ｂを形成し、二重筒構造を形成する。
このように構成すると、釣り糸ａを括り付ける本体部２Ａが二重筒構造を形成することになるので、本体部２Ａの強度を高めることができ、括り付け部位の面圧強度を高めて、損傷等を抑えることができる。
以上のような構成は、第１実施形態に適用するものとして記載したが、第２実施形態とともに採用してもよく、更には、第１実施形態及び第２実施形態とは別個の構成、つまり、筒状部材３を備えないもの、又は、パイプ材４を備えないものに適用してもよい。
【００３５】
（３）  リリアン２を中間連結具１Ａを介して穂先竿１に設ける構成を示したが、中間連結具１Ａを省略して直接穂先竿１に取り付け固定する構成を採ってもよい。
【図面の簡単な説明】
【００３６】
【図１】リリアンに筒状部材を外嵌装着した状態を示す斜視図
【図２】筒状部材に釣り糸を括りつける第１実施形態の状態を示す一部切り欠き側面図であり、（イ）は釣り糸を取り付ける前の状態、（ロ）は、釣り糸を取り付けた後の状態を示している図
【図３】リリアンに釣り糸を括りつける第２実施形態の状態を示す一部切り欠き側面図であり、（イ）は釣り糸を取り付ける前の状態、（ロ）は、釣り糸を取り付けた後の状態を示している図
【図４】中間連結具の先端を球状にした状態を示す一部切り欠き側面図
【図５】リリアンを二重筒構造にした状態を示す一部切り欠き側面図
【図６】筒状部材をリリアンに外嵌し、そのリリアンに釣り糸を括り付けた状態を示す一部切り欠き側面図
【図７】パイプ材をリリアンの内部に収納し、パイプ材と中間連結具との間でリリアンに釣り糸を括り付けた状態を示す一部切り欠き側面図
【符号の説明】
【００３７】
１            穂先竿
１Ａ          中間連結具
１Ｂ          先端部
２            柔軟材製の第１部材
２Ａ          本体部
２Ｂ          焼玉部分
３            硬質材製の第２部材
３ａ          割り溝
４            硬質材製の第３部材
ａ            釣り糸
【図１】
2006223183.tif 000003
【図２】
2006223183.tif 000004
【図３】
2006223183.tif 000005
【図４】
2006223183.tif 000006
【図５】
2006223183.tif 000007
【図６】
2006223183.tif 000008
【図７】
2006223183.tif 000009